(57)【要約】【課題】例えば座敷机を対象とし、畳面をキズつけることなく、誰もが容易に移動させることができ、しかも、家具としての体裁を損なわせない、キャスター付き座敷机等の家具を提供する。【解決手段】例えば座敷机１の一方の側の脚部２にキャスター４が備えられ、該キャスター４は、常時は脚部２内に退入して隠蔽され、座敷机１のもう一方の側を上昇させて座敷机を傾けた状態にすると下方に突出し、座敷机の前記もう一方の側を下降させて前記傾斜角度よりも小さい傾斜角度にすると、座敷机の荷重を支え、座敷机の移動に伴って転動するようになっている。キャスター４は、座敷机１の前記一方の側を上昇させて座敷机を傾けた状態にすると固定を解除され、水平にすると退入して隠蔽状態に復帰するようになっている。【選択図】      図１
2008125990.tif 000002
【特許請求の範囲】
【請求項１】
家具本体の一方の側にキャスターが備えられ、
該キャスターは、常時は家具本体を支えることなく退入して隠蔽されていると共に、家具本体のもう一方の側を上昇させて家具本体を傾けた状態にすることにより下方に突出し、家具本体の前記もう一方の側を下降させて前記傾斜角度よりも小さい傾斜角度にすることにより、家具本体の荷重を支え、家具本体の移動に伴って転動するようになされていることを特徴とするキャスター付き家具。
【請求項２】
前記キャスターは、家具本体の前記一方の側を上昇させて家具本体を傾けた状態にすることにより下方突出の固定状態を解除され、家具本体を水平にすることにより退入して隠蔽状態に復帰するようになされている請求項１に記載のキャスター付き家具。
【請求項３】
座敷机からなり、前記キャスターが前記一方の側の脚部内に隠蔽状態に備えられている請求項１又は２に記載のキャスター付き家具。
【発明の詳細な説明】
【技術分野】
【０００１】
本発明は、座敷机などに好適に用いられるキャスター付き家具に関する。
【背景技術】
【０００２】
例えば、和室に置かれる座敷机の移動は、座敷机の全体を持ち上げることにより行うのが普通であるが、その際に摺って畳にキズを付けてしまうことがあったり、移動に大きな力が必要で、高齢者や女性等には移動させるのが難しい場合がある。そこで、脚部にキャスターを付けたものも提供されているが、キャスターが常時見えてしまっては、座敷机としての体裁を損なわせてしまうという問題がある。
【特許文献１】特開平６−１９８０７３号公報
【発明の開示】
【発明が解決しようとする課題】
【０００３】
本発明は、上記のような問題点に鑑み、座敷机をはじめとする各種家具を対象とし、床面をキズつけることなく、誰もが容易に移動させることができ、しかも、家具としての体裁を損なわせることがない、キャスター付き家具を提供することを課題とする。
【課題を解決するための手段】
【０００４】
上記の課題は、家具本体の一方の側にキャスターが備えられ、
該キャスターは、常時は家具本体を支えることなく退入して隠蔽されていると共に、家具本体のもう一方の側を上昇させて家具本体を傾けた状態にすることにより下方に突出し、家具本体の前記もう一方の側を下降させて前記傾斜角度よりも小さい傾斜角度にすることにより、家具本体の荷重を支え、家具本体の移動に伴って転動するようになされていることを特徴とするキャスター付き家具によって解決される。
【０００５】
このキャスター付き家具では、キャスターが備えられた側とは反対の側を上昇させて家具本体を傾けた状態にしたのち、同じ側を下降させて前記傾斜角度よりも小さい傾斜角度にするという簡単な操作を行うだけで、キャスターが家具本体の荷重を支えるようになされているので、家具本体を操作容易にキャスターで支えられた状態にすることができ、そして、そのまま、即ち、一旦降ろしてしまうことをせずに、家具本体を移動させていけばキャスターは転動し、床面をキズ付けることなく、家具本体を誰もが容易に移動させていくことができる。
【０００６】
しかも、キャスターは、常時は家具本体を支えることなく退入して隠蔽されているので、キャスターの存在によって家具本体の体裁が損なわれることもない。
【０００７】
上記のキャスター付き家具において、前記キャスターは、家具本体の前記一方の側を上昇させて家具本体を傾けた状態にすることにより下方突出の固定状態を解除され、家具本体を水平にすることにより退入して隠蔽状態に復帰するようになされているとよい。このような固定解除機構を備えさせることにより、家具本体の一方の側を上昇させて降ろすだけの簡単な操作でキャスターを退入隠蔽状態に復帰させることができて、復帰のための操作を容易に行うことができる。
【０００８】
上記のキャスター付き家具が座敷机からなり、前記キャスターが前記一方の側の脚部内に隠蔽状態に備えられているとよい。このキャスター付き座敷机によれば、移動時に畳をキズ付けてしまうこともないし、移動も楽に行うことができるし、キャスターによって座敷机としての体裁が損なわれることもない。また、キャスターを脚部内に退入隠蔽状態に復帰させる操作も容易に行うことができる。
【発明の効果】
【０００９】
本発明のキャスター付き家具は、以上のとおりのものであるから、床面をキズつけることなく、誰もが容易に移動させることができ、しかも、家具としての体裁を損なわせることもない。
【発明を実施するための最良の形態】
【００１０】
次に、本発明の実施最良形態を図面に基づいて説明する。
【００１１】
図１に示す実施形態のキャスター付き家具は、座敷机１に適用した場合のもので、該座敷机１の天板１１の長辺方向における一方の側の両脚部２，２には、同図（ロ）（ハ）に示すように、下方に開口する凹所３が設けられ、該凹所３内にキャスター４が隠蔽状態に備えられ、自重により、座敷机１の脚部２の下面から下方に突出することができるようになされている。もう一方の側の両脚部５は、キャスターレスである。
【００１２】
なお、凹所３内からのキャスター４の抜止め手段として、キャスター４の軸部６の基端側外周部には外方に張り出す外突出部７が設けられると共に、凹所３内の内周部に、内方に張り出す内突出部８が設けられ、キャスター４が下方に突出して、外突出部７が内突出部８の上面側に当接することで、抜け出てしまわないようにされている。
【００１３】
そして、上記の凹所３内には、キャスター４を下方突出状態に保持する突出固定機構が備えられている。
【００１４】
該突出固定機構は、凹所３内の、キャスター４よりも上方の領域部分において、座敷机１の短辺方向に延びる軸を中心として回転自在となるように上端部を振り子状に枢着されたつっかえ材９で構成されており、該つっかえ材９は、キャスター４が凹所３内から下方に突出した状態でキャスター４の軸部６と同軸方向を向くことによって該軸部６の上端部に当接してキャスター４の突出状態を保持するつっかえ本体部９ａと、質量作用によってつっかえ本体部９ａを座敷机１のもう一方の側寄りの斜め下方に向かせた釣り合い状態を形成する偏心質量部９ｂとを一体的に備えたものからなっている。
【００１５】
そして、座敷机１の移動は、次のようにして行うことができるようになされている。即ち、図２（イ−１）（イ−２）（ロ−１）（ロ−２）に示すように、座敷机１の長辺方向におけるもう一方の側を上昇させて座敷机１を傾けていくと、キャスター４は自重により脚部２の下面部から下方に突出していき、つっかえ材９のつっかえ本体部９ａがキャスター４の軸部と同軸方向を向いた状態になる。なお、つっかえ材９は、座敷机１の傾斜角度が一定の角度に達すると、周囲との係合により、つっかえ本体部９ａがキャスター４の軸部と同軸方向を向いた状態を保つようになされており、座敷机１は、その角度を超える程度の角度に傾斜させるようにするとよい。
【００１６】
その状態から、今度は、図２（ハ−１）（ハ−２）に示すように、座敷机１の該もう一方の側を下降させて、先ほどの傾斜角度よりも小さい傾斜角度にすると、つっかえ本体部９ａがキャスター４の軸部６と同軸方向を向いた状態を保ちながら、キャスター４が凹所３内へとわずか後退変位をし、キャスター４の軸部６の上端部がつっかえ本体部９ａの下端先端部に当接して、キャスター４は、下方突出状態を保持した状態になり、脚部２は床面としての畳面１０から離れて、座敷机１の荷重を支えた状態になり、その状態で、座敷机１を水平方向に移動させれば、キャスター４が転動して畳面１０をキズ付けることなく座敷机１を移動させていくことができる。
【００１７】
移動後は、図３（ニ−１）（ニ−２）に示すように、座敷机１の前記もう一方の側を降ろすが、その状態では、つっかえ本体部９ａがキャスター４の軸部６の上端部に当接していて、キャスター４が座敷机１の脚部２の下面から下方に突出した状態となっている。
【００１８】
そこで、図３（ホ−１）（ホ−２）に示すように、座敷机１の前記一方の側を上昇させて座敷机１を傾けた状態にすると、キャスター４は自重により下方への突出変位をし、それによって、つっかえ材９のつっかえ本体部９ａは偏心質量部９ｂの質量作用によって側方に振れて下方突出の固定状態が解除され、その状態で、図３（ヘ−１）（ヘ−２）に示すように、座敷机１の前記一方の側を降ろして水平にすると、キャスター４はつっかえ材９のつっかえ本体部９ａに妨げられることなく、凹所３内に退入して隠蔽状態に復帰する。
【００１９】
このように、上記のキャスター付き座敷机１によれば、キャスター４が備えられた側とは反対の側を上昇させて座敷机１を傾けた状態にしたのち、同じ側を下降させて前記傾斜角度よりも小さい傾斜角度にするという簡単な操作を行うだけで、キャスター４が座敷机１の荷重を支えた状態にすることができ、そのまま、座敷机１を移動させていけば、キャスター４が転動して、座敷机１を、畳面１０をキズ付けることなく、誰もが容易に移動させていくことができる。
【００２０】
しかも、キャスター４は、常時は座敷机１の脚部２の凹所３内に退入して隠蔽されているので、キャスター４の存在によって座敷机１の体裁が損なわれることはないし、座敷机１がキャスターによってずれ動いてしまうこともない。
【００２１】
そして、座敷机１のキャスター４の備えられている側を上昇させて降ろすだけの簡単な操作でキャスター４を凹所３内に退入隠蔽状態に復帰させることができ、復帰操作も容易に行うことができる。
【００２２】
また、本実施形態では、突出固定機構として、つっかえ本体部９ａと偏心質量部９ｂとを備えたつっかえ材９を振り子状に枢着したものを採用していることにより、突出固定機構に固定解除機能をも容易に併せもたせることができて、簡素な構造で突出の固定と固定の解除とを遂行することができる。
【００２３】
以上に、本発明の実施形態を示したが、本発明はこれに限られるものではなく、発明思想を逸脱しない範囲で各種の変更が可能である。例えば、上記の実施形態では、キャスターを下方突出状態に保持する突出固定機構として、つっかえ本体部と偏心質量部とを備えた振り子状のつっかえ材を用いた場合を示したが、突出固定機構の具体的構造内容に制限はなく、要は、一方の側のキャスターが、もう一方の側を上昇させて傾けた状態にすることにより下方に突出し、該もう一方の側を下降させてその傾斜角度よりも小さい傾斜角度にすることにより、突出を固定された状態となってキャスターを転動させながら移動させることができるようになされたものであればよい。
【００２４】
また、キャスターの突出状態を解除して退入復帰状態にする突出解除機構についても、各種機構が採用されてよく、キャスターの備えられた一方の側を上昇させて傾けた状態にすることにより下方突出の固定状態が解除されるようになされたその他の機構が採用されてもよいし、それ以外の機構構造によってキャスターの突出状態を解除し退入復帰状態にするものであってもよい。
【００２５】
更に、上記の実施形態では、座敷机１の長辺方向における一方の側の２つの脚部にキャスターを備えさせた場合を示したが、短辺方向における一方の側の２つの脚部にキャスターを備えさせるようにしてもよい。
【００２６】
また、本発明は、座敷机に限らず、各種机や、収納家具、応接椅子等の各種家具に用いることができるものであることはいうまでもない。
【図面の簡単な説明】
【００２７】
【図１】実施形態のキャスター付き座敷机を示すもので、図（イ）は全体斜視図、（ロ）は長辺方向を正面側に向けた一部断面正面図、図（ハ）はである。
【図２】図（イ−２）〜図（ハ−２）は、図３（ニ−２）〜（ヘ−２）と共に、座敷机の移動のための操作方法を順次に示す正面図、図（イ−１）〜図（ハ−１）は、図３（ニ−１）〜（ヘ−１）と共に、その際のキャスター、突出固定機構、固定解除機構の動作を順次に示す拡大断面正面図である。
【図３】図（ニ−２）〜図（ヘ−２）は、図２（イ−２）〜（ハ−２）と共に、座敷机の移動のための操作方法を順次に示す正面図、図（ニ−１）〜図（ヘ−１）は、図２（イ−１）〜（ハ−１）と共に、その際のキャスター、突出固定機構の動作を順次に示す拡大断面正面図である。
【符号の説明】
【００２８】
１…座敷机（キャスター付き家具）
２…脚部
３…凹所
４…キャスター
９…つっかえ材（突出固定機構）
１０…畳面（床面）
【図１】
2008125990.tif 000003
【図２】
2008125990.tif 000004
【図３】
2008125990.tif 000005